(57)【要約】  本開示の実施例は、伝送リソースを予め配置して引き起こされる、柔軟性がないという問題を回避でき、そしてリソースの浪費を回避できるパイロット信号伝送方法と通信装置を提供する。該方法は、第一の装置が第二の装置から送信された第一のメッセージを受信することであって、該第一のメッセージは、パイロット信号を受信又は送信するように該第一の装置に指示することに用いられ、該第一のメッセージに該パイロット信号のリソース配置情報が指示される、ことと、該リソース配置情報に基づき、該第一の装置が該第二の装置へ該パイロット信号を送信し、又は該第二の装置から送信された該パイロット信号を受信することとを含む。
2019534604.tif 000002
【特許請求の範囲】
【請求項１】
パイロット信号伝送方法であって、
第一の装置が第二の装置から送信された第一のメッセージを受信することであって、前記第一のメッセージは、パイロット信号を受信又は送信するように前記第一の装置に指示することに用いられ、前記第一のメッセージに前記パイロット信号のリソース配置情報が指示される、ことと、
前記リソース配置情報に基づき、前記第一の装置が前記第二の装置へ前記パイロット信号を送信し、又は前記第二の装置から送信された前記パイロット信号を受信することとを含む、前記パイロット信号伝送方法。
【請求項２】
前記第一の装置が前記第二の装置へ前記パイロット信号を送信し、又は前記第二の装置から送信された前記パイロット信号を受信することは、
前記第一の装置が前記第一のメッセージを伝送するための時間領域リソース単位内で、前記第二の装置へ前記パイロット信号を送信し、前記第二の装置から送信された前記パイロット信号を受信することを含むことを特徴とする
請求項１に記載のパイロット信号伝送方法。
【請求項３】
前記リソース配置情報は前記パイロット信号の時間領域リソース配置情報、周波数領域リソース配置情報及びシーケンス配置情報のうちの少なくとも一つを指示することを特徴とする
請求項１又は２に記載のパイロット信号伝送方法。
【請求項４】
前記時間領域リソース配置情報は前記パイロット信号のタイミング情報及び／又は前記パイロット信号を伝送するための時間領域物理リソース情報を示すことに用いられることを特徴とする
請求項３に記載のパイロット信号伝送方法。
【請求項５】
前記タイミング情報は前記第一のメッセージに対する前記パイロット信号の時間領域位置、又は前記第一のメッセージによってスケジューリングされたデータ伝送に対する時間領域位置を示すことに用いられることを特徴とする
請求項４に記載のパイロット信号伝送方法。
【請求項６】
前記時間領域物理リソース情報は所定時時間内で前記パイロット信号を伝送するための時間領域リソース単位のインデックス及び／又は時間領域リソース単位の数を示すことに用いられることを特徴とする
請求項４又は５に記載のパイロット信号伝送方法。
【請求項７】
前記周波数領域リソース配置情報は前記パイロット信号の伝送帯域幅、前記パイロット信号の伝送密度、前記パイロット信号を伝送するための周波数領域開始位置及び前記パイロット信号を伝送するためのサブ搬送波間隔のうちの少なくとも一つを示すことに用いられることを特徴とする
請求項３−６のいずれか一項に記載のパイロット信号伝送方法。
【請求項８】
前記シーケンス配置情報は前記パイロット信号のスクランブルシーケンスを生成するための情報及び前記パイロット信号のルートシーケンスを生成するための情報のうちの少なくとも一つを示すことに用いられることを特徴とする
請求項３−７のいずれか一項に記載のパイロット信号伝送方法。
【請求項９】
前記第一のメッセージはさらに前記第一の装置と前記第二の装置の間で伝送されたデータをスケジューリングすることに用いられることを特徴とする
請求項１−８のいずれか一項に記載のパイロット信号伝送方法。
【請求項１０】
前記第一のメッセージはダウンリンク制御情報（ＤＣＩ）シグナリングであることを特徴とする
請求項１−９のいずれか一項に記載のパイロット信号伝送方法。
【請求項１１】
前記パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）であることを特徴とする
請求項１−１０のいずれか一項に記載のパイロット信号伝送方法。
【請求項１２】
前記第一の装置は端末装置であり、前記第二の装置がネットワーク装置であることを特徴とする
請求項１−１１のいずれか一項に記載のパイロット信号伝送方法。
【請求項１３】
パイロット信号伝送方法であって、
第二の装置が第一の装置へ第一のメッセージを送信することであって、前記第一のメッセージは、パイロット信号を受信又は送信するように前記第一の装置に指示することに用いられ、及び前記パイロット信号のリソース配置情報を指示する、ことと、
前記リソース配置情報に基づき、前記第二の装置が前記第一の装置へ前記パイロット信号を送信し、又は前記第一の装置から送信された前記パイロット信号を受信することとを含む、前記パイロット信号伝送方法。
【請求項１４】
前記第二の装置が前記第一の装置へ前記パイロット信号を送信し、又は前記第二の装置から送信された前記パイロット信号を受信することは、
前記第二の装置が前記第一のメッセージを伝送するための時間領域リソース単位内で、前記第一の装置へ前記パイロット信号を送信し、又は前記第一の装置から送信された前記パイロット信号を受信することを含むことを特徴とする
請求項１３に記載のパイロット信号伝送方法。
【請求項１５】
前記リソース配置情報は前記パイロット信号の時間領域リソース配置情報、周波数領域リソース配置情報及びシーケンス配置情報のうちの少なくとも一つを指示することを特徴とする
請求項１３又は１４に記載のパイロット信号伝送方法。
【請求項１６】
前記時間領域リソース配置情報は前記パイロット信号のタイミング情報及び／又は前記パイロット信号を伝送するための時間領域物理リソース情報を示すことに用いられることを特徴とする
請求項１５に記載のパイロット信号伝送方法。
【請求項１７】
前記タイミング情報は前記第一のメッセージに対する前記パイロット信号の時間領域位置、又は前記第一のメッセージによってスケジューリングされたデータ伝送に対する時間領域位置を示すことに用いられることを特徴とする
請求項１６に記載のパイロット信号伝送方法。
【請求項１８】
前記時間領域物理リソース情報は所定時間内で前記パイロット信号を伝送するための時間領域リソース単位のインデックス又は時間領域リソース単位の数を示すことに用いられることを特徴とする
請求項１６又は１７に記載のパイロット信号伝送方法。
【請求項１９】
前記周波数領域リソース配置情報は前記パイロット信号の伝送帯域幅、前記パイロット信号の伝送密度、前記パイロット信号を伝送するための周波数領域開始位置及び前記パイロット信号を伝送するためのサブ搬送波間隔のうちの一つを示すことに用いられることを特徴とする
請求項１４−１８のいずれか一項に記載のパイロット信号伝送方法。
【請求項２０】
前記シーケンス配置情報は前記パイロット信号のスクランブルシーケンスを生成するための情報及び前記パイロット信号のルートシーケンスを生成するための情報のうちの少なくとも一つを示すことに用いられることを特徴とする
請求項１５−１９のいずれか一項に記載のパイロット信号伝送方法。
【請求項２１】
前記第一のメッセージはさらに前記第一の装置と前記第二の装置の間で伝送されたデータをスケジューリングすることに用いられることを特徴とする
請求項１３−２０のいずれか一項に記載のパイロット信号伝送方法。
【請求項２２】
前記第一のメッセージはダウンリンク制御情報（ＤＣＩ）シグナリングであることを特徴とする
請求項１３−２１のいずれか一項に記載のパイロット信号伝送方法。
【請求項２３】
前記パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）であることを特徴とする
請求項１３−２２のいずれか一項に記載のパイロット信号伝送方法。
【請求項２４】
前記第一の装置は端末装置であり、前記第二の装置はネットワーク装置であることを特徴とする
請求項１３−２３のいずれか一項に記載のパイロット信号伝送方法。
【請求項２５】
通信装置であって、
第二の装置から送信された第一のメッセージを受信するように構成される第一の送受信ユニットであって、前記第一のメッセージは、パイロット信号を受信又は送信するように前記通信装置に指示することに用いられ、前記第一のメッセージに前記パイロット信号のリソース配置情報が指示される、第一の送受信ユニットと、
前記リソース配置情報に基づき、前記第二の装置へ前記パイロット信号を送信し、又は前記第二の装置から送信された前記パイロット信号を受信するように構成される第二の送受信ユニットとを備える、前記通信装置。
【請求項２６】
前記第二の送受信ユニットは具体的に、
前記第一のメッセージを伝送するための時間領域リソース単位内で、前記第二の装置へ前記パイロット信号を送信し、前記第二の装置から送信された前記パイロット信号を受信するように構成されることを特徴とする
請求項２５に記載の通信装置。
【請求項２７】
前記リソース配置情報は前記パイロット信号の時間領域リソース配置情報、周波数領域リソース配置情報及びシーケンス配置情報のうちの少なくとも一つを指示することを特徴とする
請求項２５又は２６に記載の通信装置。
【請求項２８】
前記時間領域リソース配置情報は前記パイロット信号のタイミング情報及び／又は前記パイロット信号を伝送するための時間領域物理リソース情報を示すことに用いられることを特徴とする
請求項２７に記載の通信装置。
【請求項２９】
前記タイミング情報は前記第一のメッセージに対する前記パイロット信号の時間領域位置、又は前記第一のメッセージによってスケジューリングされたデータ伝送に対する時間領域位置を示すことに用いられることを特徴とする
請求項２８に記載の通信装置。
【請求項３０】
前記時間領域物理リソース情報は所定時時間内で前記パイロット信号を伝送するための時間領域リソース単位のインデックス及び／又は時間領域リソース単位の数を示すことに用いられることを特徴とする
請求項２８又は２９に記載の通信装置。
【請求項３１】
前記周波数領域リソース配置情報は前記パイロット信号の伝送帯域幅、前記パイロット信号の伝送密度、前記パイロット信号を伝送するための周波数領域開始位置及び前記パイロット信号を伝送するためのサブ搬送波間隔のうちの少なくとも一つを示すことに用いられることを特徴とする
請求項２７−３０のいずれか一項に記載の通信装置。
【請求項３２】
前記シーケンス配置情報は前記パイロット信号のスクランブルシーケンスを生成するための情報及び前記パイロット信号のルートシーケンスを生成するための情報のうちの少なくとも一つを示すことに用いられることを特徴とする
請求項２７−３１のいずれか一項に記載の通信装置。
【請求項３３】
前記第一のメッセージはさらに前記通信装置と前記第二の装置の間で伝送されたデータをスケジューリングすることに用いられることを特徴とする
請求項２５−３２のいずれか一項に記載の通信装置。
【請求項３４】
前記第一のメッセージはダウンリンク制御情報（ＤＣＩ）シグナリングであることを特徴とする
請求項２５−３３のいずれか一項に記載の通信装置。
【請求項３５】
前記パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）であることを特徴とする
請求項２５−３４のいずれか一項に記載の通信装置。
【請求項３６】
通信装置であって、
第一の装置へ第一のメッセージを送信するように構成される第一の送受信ユニットであって、前記第一のメッセージは、パイロット信号を受信又は送信するように前記第一の装置に指示することに用いられ、及び前記パイロット信号のリソース配置情報を指示する、第一の送受信ユニットと、
前記リソース配置情報に基づき、前記第一の装置へ前記パイロット信号を送信し、又は前記第一の装置から送信された前記パイロット信号を受信するように構成される第二の送受信ユニットとを備える、前記通信装置。
【請求項３７】
前記第二の送受信ユニットは具体的に、
前記第一のメッセージを伝送するための時間領域リソース単位内で、前記第一の装置へ前記パイロット信号を送信し、又は前記第一の装置から送信された前記パイロット信号を受信するように構成されることを特徴とする
請求項３６に記載の通信装置。
【請求項３８】
前記リソース配置情報は前記パイロット信号の時間領域リソース配置情報、周波数領域リソース配置情報及びシーケンス配置情報のうちの少なくとも一つを指示することを特徴とする
請求項３６又は３７に記載の通信装置。
【請求項３９】
前記時間領域リソース配置情報は前記パイロット信号のタイミング情報及び／又は前記パイロット信号を伝送するための時間領域物理リソース情報を示すことに用いられることを特徴とする
請求項３８に記載の通信装置。
【請求項４０】
前記タイミング情報は前記第一のメッセージに対する前記パイロット信号の時間領域位置、又は前記第一のメッセージによってスケジューリングされたデータ伝送に対する時間領域位置を示すことに用いられることを特徴とする
請求項３９に記載の通信装置。
【請求項４１】
前記時間領域物理リソース情報は所定時間内で前記パイロット信号を伝送するための時間領域リソース単位のインデックス又は時間領域リソース単位の数を示すことに用いられることを特徴とする
請求項３９又は４０に記載の通信装置。
【請求項４２】
前記周波数領域リソース配置情報は前記パイロット信号の伝送帯域幅、前記パイロット信号の伝送密度、前記パイロット信号を伝送するための周波数領域開始位置及び前記パイロット信号を伝送するためのサブ搬送波間隔のうちの一つを示すことに用いられることを特徴とする
請求項３８−４１のいずれか一項に記載の通信装置。
【請求項４３】
前記シーケンス配置情報は前記パイロット信号のスクランブルシーケンスを生成するための情報及び前記パイロット信号のルートシーケンスを生成するための情報のうちの少なくとも一つを示すことに用いられることを特徴とする
請求項３８−４２のいずれか一項に記載の通信装置。
【請求項４４】
前記第一のメッセージはさらに前記第一の装置と前記第二の装置の間で伝送されたデータをスケジューリングすることに用いられることを特徴とする
請求項３６−４３のいずれか一項に記載の通信装置。
【請求項４５】
前記第一のメッセージはダウンリンク制御情報（ＤＣＩ）シグナリングであることを特徴とする
請求項３６−４４のいずれか一項に記載の通信装置。
【請求項４６】
前記パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）であることを特徴とする
請求項３６−４５のいずれか一項に記載の通信装置。
【発明の詳細な説明】
【技術分野】
【０００１】
本開示は通信分野に関し、且つより具体的にパイロット信号伝送方法及び装置に関する。
【背景技術】
【０００２】
長期進化（ＬＴＥ：Ｌｏｎｇ  Ｔｅｒｍ  Ｅｖｏｌｕｔｉｏｎ）システムに非周期サウンディング基準信号（ＳＲＳ：Ｓｏｕｎｄｉｎｇ  Ｒｅｆｅｒｅｎｃｅ  Ｓｉｇｎａｌ）伝送が導入され、基地局はダウンリンク制御情報（ＤＣＩ：Ｄｏｗｎｌｉｎｋ  Ｃｏｎｔｒｏｌ  Ｉｎｆｏｒｍａｔｉｏｎ）により端末装置のＳＲＳ伝送をトリガすることができる。端末装置はＳＲＳトリガシグナリングを受信した後、予め配置された、非周期ＳＲＳを伝送するためのリソース内の最新のリソースでＳＲＳ伝送を行う。非周期ＳＲＳを伝送するためのリソースが上位層シグナリングにより端末装置に予め配置され、この配置方式は柔軟性が悪く、柔軟に調整できない。
【発明の概要】
【発明が解決しようとする課題】
【０００３】
本開示の実施例は、伝送リソースを予め配置して引き起こされる、柔軟性がないという問題を回避でき、そしてリソースの浪費を回避できるパイロット信号伝送方法及び装置を提供する。
【課題を解決するための手段】
【０００４】
第一の態様によるパイロット信号伝送方法は、
第一の装置が第二の装置から送信された第一のメッセージを受信することであって、該第一のメッセージは、パイロット信号を受信又は送信するように該第一の装置に指示することに用いられ、該第一のメッセージに該パイロット信号のリソース配置情報が含まれる、ことと、
該リソース配置情報に基づき、該第一の装置が該第二の装置へ該パイロット信号を送信し、又は該第二の装置から送信された該パイロット信号を受信することとを含む。
【０００５】
したがって、本開示の実施例では、第一の装置がパイロット信号を受信又は送信するように第二の装置をトリガするための第一のメッセージに、パイロット信号のリソース配置情報を含ませ、パイロット信号を伝送する必要がある場合、パイロット信号のリソース配置情報を第二の装置に通知することができ、ニューズに応じてリソース配置を行うことができ、伝送リソースを予め配置して引き起こされる、柔軟性がないという問題を回避することができ、リソースの浪費を回避することができる。
【０００６】
第一の態様と組み合わせ、第一の態様の第一の可能な実施形態では、該第一の装置が該第二の装置へ該パイロット信号を送信し、又は該第二の装置から送信された該パイロット信号を受信することは、
該第一の装置が該第一のメッセージを伝送するための時間領域リソース単位内で、該第二の装置へ該パイロット信号を送信し、該第二の装置から送信された該パイロット信号を受信することを含む。
【０００７】
第一の態様又はその上記のいずれかの可能な実施形態と組み合わせ、第一の態様の第二の可能な実施形態では、該リソース配置情報は該パイロット信号の時間領域リソース配置情報、周波数領域リソース配置情報及びシーケンス配置情報のうちの少なくとも一つを指示する。
【０００８】
第一の態様又はその上記のいずれかの可能な実施形態と組み合わせ、第一の態様の第三の可能な実施形態では、該時間領域リソース配置情報は該パイロット信号のタイミング情報及び／又は該パイロット信号を伝送するための時間領域物理リソース情報を示すことに用いられる。
【０００９】
第一の態様又はその上記のいずれかの可能な実施形態と組み合わせ、第一の態様の第四の可能な実施形態では、該タイミング情報は該第一のメッセージに対する該パイロット信号の時間領域位置、又は該第一のメッセージによってスケジューリングされたデータ伝送に対する時間領域位置を示すことに用いられる。
【００１０】
第一の態様又はその上記のいずれかの可能な実施形態と組み合わせ、第一の態様の第五の可能な実施形態では、該時間領域物理リソース情報は所定時時間内で該パイロット信号を伝送するための時間領域リソース単位のインデックス及び／又は時間領域リソース単位の数を示すことに用いられる。
【００１１】
第一の態様又はその上記のいずれかの可能な実施形態と組み合わせ、第一の態様の第六の可能な実施形態では、該周波数領域リソース配置情報は該パイロット信号の伝送帯域幅、該パイロット信号の伝送密度、該パイロット信号を伝送するための周波数領域開始位置及び該パイロット信号を伝送するためのサブ搬送波間隔のうちの少なくとも一つを示すことに用いられる。
【００１２】
第一の態様又はその上記のいずれかの可能な実施形態と組み合わせ、第一の態様の第七の可能な実施形態では、該シーケンス配置情報は該パイロット信号のスクランブルシーケンスを生成するための情報及び該パイロット信号のルートシーケンスを生成するための情報のうちの少なくとも一つを示すことに用いられる。
【００１３】
第一の態様又はその上記のいずれかの可能な実施形態と組み合わせ、第一の態様の第八の可能な実施形態では、該第一のメッセージはさらに該第一の装置と該第二の装置の間で伝送されたデータをスケジューリングすることに用いられる。
【００１４】
第一の態様又はその上記のいずれかの可能な実施形態と組み合わせ、第一の態様の第九の可能な実施形態では、該第一のメッセージはダウンリンク制御情報（ＤＣＩ）シグナリングである。
【００１５】
第一の態様又はその上記のいずれかの可能な実施形態と組み合わせ、第一の態様の第十の可能な実施形態では、該パイロット信号はサウンディング基準信号（ＳＲＳ）、チャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、復調基準信号（ＤＭＲＳ：Ｄｅｍｏｄｕｌａｔｉｏｎ  Ｒｅｆｅｒｅｎｃｅ  Ｓｉｇｎａｌ）、セル専用基準信号（ＣＲＳ：Ｃｅｌｌ−ｓｐｅｃｉｆｉｃ  Ｒｅｆｅｒｅｎｃｅ  Ｓｉｇｎａｌ）、又はビーム管理基準信号（ＢＭＲＳ：Ｂｅａｍ  Ｍａｎａｇｅｍｅｎｔ  Ｒｅｆｅｒｅｎｃｅ  Ｓｉｇｎａｌ）である。
【００１６】
第二の態様によるパイロット信号伝送方法は、
第二の装置が第一の装置へ第一のメッセージを送信することであって、該第一のメッセージは、パイロット信号を受信又は送信するように該第一の装置に指示することに用いられ、及び該パイロット信号のリソース配置情報を指示する、ことと、
該リソース配置情報に基づき、該第二の装置が該第一の装置へ該パイロット信号を送信し、又は該第一の装置から送信された該パイロット信号を受信することとを含む。
【００１７】
第二の態様と組み合わせ、第二の態様の第一の可能な実施形態では、該第二の装置が該第一の装置へ該パイロット信号を送信し、又は該第二の装置から送信された該パイロット信号を受信することは、
該第二の装置が該第一のメッセージを伝送するための時間領域リソース単位内で、該第一の装置へ該パイロット信号を送信し、又は該第一の装置から送信された該パイロット信号を受信することを含む。
【００１８】
第二の態様又はその上記のいずれかの可能な実施形態と組み合わせ、第二の態様の第二の可能な実施形態では、該リソース配置情報は該パイロット信号の時間領域リソース配置情報、周波数領域リソース配置情報及びシーケンス配置情報のうちの少なくとも一つを指示する。
【００１９】
第二の態様又はその上記のいずれかの可能な実施形態と組み合わせ、第二の態様の第三の可能な実施形態では、該時間領域リソース配置情報は該パイロット信号のタイミング情報及び／又は該パイロット信号を伝送するための時間領域物理リソース情報を示すことに用いられる。
【００２０】
第二の態様又はその上記のいずれかの可能な実施形態と組み合わせ、第二の態様の第四の可能な実施形態では、該タイミング情報は該第一のメッセージに対する該パイロット信号の時間領域位置、又は該第一のメッセージによってスケジューリングされたデータ伝送に対する時間領域位置を示すことに用いられる。
【００２１】
第二の態様又はその上記のいずれかの可能な実施形態と組み合わせ、第二の態様の第五の可能な実施形態では、該時間領域物理リソース情報は所定時間内で該パイロット信号を伝送するための時間領域リソース単位のインデックス又は時間領域リソース単位の数を示すことに用いられる。
【００２２】
第二の態様又はその上記のいずれかの可能な実施形態と組み合わせ、第二の態様の第六の可能な実施形態では、該周波数領域リソース配置情報は該パイロット信号の伝送帯域幅、該パイロット信号の伝送密度、該パイロット信号を伝送するための周波数領域開始位置及び該パイロット信号を伝送するためのサブ搬送波間隔のうちの一つを示すことに用いられる。
【００２３】
第二の態様又はその上記のいずれかの可能な実施形態と組み合わせ、第二の態様の第七の可能な実施形態では、該シーケンス配置情報は該パイロット信号のスクランブルシーケンスを生成するための情報及び該パイロット信号のルートシーケンスを生成するための情報のうちの少なくとも一つを示すことに用いられる。
【００２４】
第二の態様又はその上記のいずれかの可能な実施形態と組み合わせ、第二の態様の第八の可能な実施形態では、該第一のメッセージはさらに該第一の装置と該第二の装置の間で伝送されたデータをスケジューリングすることに用いられる。
【００２５】
第二の態様又はその上記のいずれかの可能な実施形態と組み合わせ、第二の態様の第九の可能な実施形態では、該第一のメッセージはダウンリンク制御情報（ＤＣＩ）シグナリングである。
【００２６】
第二の態様又はその上記のいずれかの可能な実施形態と組み合わせ、第二の態様の第十の可能な実施形態では、該パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）である。
【００２７】
第三の態様によるパイロット信号伝送方法は、
第一の装置が第二の装置から送信された第一のメッセージを受信することであって、該第一のメッセージは、パイロット信号を受信又は送信するように該第一の装置に指示することに用いられる、ことと、
該第一の装置が該第一のメッセージを伝送するための時間領域リソース単位内で、該第二の装置へ該パイロット信号を送信し、又は該第二の装置から送信された該パイロット信号を受信することとを含む。
【００２８】
したがって、本開示の実施例では、同一の時間領域リソース単位内で第一のメッセージとパイロット信号の伝送を行うことにより、パイロット信号伝送の柔軟性をさらに高めることができ、そしてパイロット信号の伝送遅延を低減させることができる。
【００２９】
第三の態様と組み合わせ、第三の態様の第一の可能な実施形態では、該時間領域リソース単位は無線フレーム、サブフレーム、タイムスロット又はショートタイムスロットである。
【００３０】
第三の態様又はその上記の可能な実施形態と組み合わせ、第三の態様の第二の可能な実施形態では、該パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）である。
【００３１】
第四の態様によるパイロット信号伝送方法は、
第二の装置が第一の装置へ第一のメッセージを送信することであって、該第一のメッセージは、パイロット信号を受信又は送信するように該第一の装置に指示することに用いられる、ことと、
該第二の装置が該第一のメッセージを伝送するための時間領域リソース単位内で、該第一の装置へ該パイロット信号を送信し、又は該第一の装置から送信された該パイロット信号を受信することとを含む。
【００３２】
第四の態様と組み合わせ、第四の態様の第一の可能な実施形態では、該時間領域リソース単位は無線フレーム、サブフレーム、タイムスロット、ショートタイムスロットである。
【００３３】
第四の態様又はその上記の可能な実施形態と組み合わせ、第四の態様の第二の可能な実施形態では、該パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）である。
【００３４】
第五の態様による通信装置は上記第一の態様又は第一のいずれかの選択可能な実施形態における方法を実行することに用いられる。具体的には、該通信装置は上記第一の態様又は第一の態様のいずれかの可能な実施形態における方法を実行するためのユニットを備える。
【００３５】
第六の態様による通信装置は上記第二の態様又は第二のいずれかの選択可能な実施形態における方法を実行することに用いられる。具体的には、該通信装置は上記第二の態様又は第二の態様のいずれかの可能な実施形態における方法を実行するためのユニットを備える。
【００３６】
第七の態様による通信装置は上記第三の態様又は第三のいずれかの選択可能な実施形態における方法を実行することに用いられる。具体的には、該通信装置は上記第三の態様又は第三の態様のいずれかの可能な実施形態における方法を実行するためのユニットを備える。
【００３７】
第八の態様による通信装置は上記第四の態様又は第四のいずれかの選択可能な実施形態における方法を実行することに用いられる。具体的には、該通信装置は上記第四の態様又は第四の態様のいずれかの可能な実施形態における方法を実行するためのユニットを備える。
【００３８】
第九の態様による通信装置は、メモリとプロセッサを備え、該メモリが命令を記憶することに用いられ、該プロセッサが該メモリに記憶された命令を実行することに用いられ、そして該プロセッサが該メモリに記憶された命令を実行する場合、該実行により該プロセッサが第一の態様又は第一の態様のいずれかの選択可能な実施形態における方法を実行する。
【００３９】
第十の態様による通信装置は、メモリとプロセッサを備え、該メモリが命令を記憶することに用いられ、該プロセッサが該メモリに記憶された命令を実行することに用いられ、そして該プロセッサが該メモリに記憶された命令を実行する場合、該実行により該プロセッサが第二の態様又は第二の態様のいずれかの選択可能な実施形態における方法を実行する。
【００４０】
第十一の態様による通信装置は、メモリとプロセッサを備え、該メモリが命令を記憶することに用いられ、該プロセッサが該メモリに記憶された命令を実行することに用いられ、そして該プロセッサが該メモリに記憶された命令を実行する場合、該実行により該プロセッサが第三の態様又は第三の態様のいずれかの選択可能な実施形態における方法を実行する。
【００４１】
第十二の態様による通信装置は、メモリとプロセッサを備え、該メモリが命令を記憶することに用いられ、該プロセッサが該メモリに記憶された命令を実行することに用いられ、そして該プロセッサが該メモリに記憶された命令を実行する場合、該実行により該プロセッサが第四の態様又は第四の態様のいずれかの選択可能な実施形態における方法を実行する。
【００４２】
第十三の態様によるコンピュータ記憶媒体は、上記第一の態様又は第一の態様のいずれかの選択可能な実施形態における方法を実行するように指示するためのプログラムコードを記憶する。
【００４３】
第十四の態様によるコンピュータ記憶媒体は、上記第二の態様又は第二の態様のいずれかの選択可能な実施形態における方法を実行するように指示するためのプログラムコードを記憶する。
【００４４】
第十五の態様によるコンピュータ記憶媒体は、上記第三の態様又は第一の態様のいずれかの選択可能な実施形態における方法を実行するように指示するためのプログラムコードを記憶する。
【００４５】
第十六の態様によるコンピュータ記憶媒体は、上記第四の態様又は第二の態様のいずれかの選択可能な実施形態における方法を実行するように指示するためのプログラムコードを記憶する。
【図面の簡単な説明】
【００４６】
【図１】本開示の実施例による応用シーンを示す図である。
【図２】本開示の実施例によるパイロット信号伝送方法の概略フローチャートである。
【図３】本開示の実施例によるパイロット信号伝送方法の概略フローチャートである。
【図４】本開示の実施例によるパイロット信号伝送方法の概略フローチャートである。
【図５】本開示の実施例によるパイロット信号伝送方法の概略フローチャートである。
【図６】本開示の実施例による通信装置の概略ブロック図である。
【図７】本開示の実施例による通信装置の概略ブロック図である。
【図８】本開示の実施例による通信装置の概略ブロック図である。
【図９】本開示の実施例による通信装置の概略ブロック図である。
【発明を実施するための形態】
【００４７】
本開示の実施例の技術的解決策をより明確に説明するために、以下に本開示の実施例又は従来技術の説明に必要な図面を簡単に説明し、明らかに、以下に記載される図面が本開示のくつかの実施例だけであり、当業者であれば、創造的な労力を要することなく、これらの図面に基づいて他の図面を得ることができる。
【００４８】
以下に本開示の実施例の図面を組み合わせながら、本開示の実施例における技術的解決策を明確で、全面的に説明し、明らかに、説明される実施例は本開示の一部の実施例だけであり、全ての実施例ではない。本開示の実施例に基づき、当業者が創造的な労力を要せずに得た他の実施例は、全て本開示の保護範囲に属する。
【００４９】
理解すべきものとして、本開示の実施例の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ「ＵＭＴＳ」と略称）などの現在の通信システム、特に新しい無線（ＮＲ：Ｎｅｗ  Ｒａｄｉｏ）シーン、及び将来の５Ｇシステムに応用されてもよい。
【００５０】
本開示の実施例における端末装置はユーザ装置（Ｕｓｅｒ  Ｅｑｕｉｐｍｅｎｔ：「ＵＥ」と略称）、アクセス端末、加入者ユニット、加入者局、移動局、移動サイト、遠隔局、遠隔端末、移動装置、ユーザ端末、端末、無線通信装置、ユーザエージェント又はユーザ装置と呼ばれてもよい。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ：「ＳＩＰ」と略称）電話、無線ローカルループ（Ｗｉｒｅｌｅｓｓ  Ｌｏｃａｌ  Ｌｏｏｐ：「ＷＬＬ」と略称）サイト、パーソナルデジタル処理（Ｐｅｒｓｏｎａ１  Ｄｉｇｉｔａ１  Ａｓｓｉｓｔａｎｔ：「ＰＤＡ」と略称）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上移動ネットワーク（ＰＬＭＮ：Ｐｕｂｌｉｃ  Ｌａｎｄ  Ｍｏｂｉｌｅ  Ｎｅｔｗｏｒｋ）における端末装置などであってもよい。
【００５１】
本開示の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮｏｄｅＢ：「ＮＢ」と略称）であってもよいし、ＬＴＥシステムにおける進化型基地局（Ｅｖｏｌｕｔｉｏｎａｌ  Ｎｏｄｅ  Ｂ：「ｅＮＢ又はｅＮｏｄｅＢ」と略称）であってもよいし、クラウドワイヤレスアクセスネットワーク（Ｃｌｏｕｄ  Ｒａｄｉｏ  Ａｃｃｅｓｓ  Ｎｅｔｗｏｒｋ：「ＣＲＡＮ」と略称）シーンにおける無線コントローラであってもよく、又は該ネットワーク装置は中継局、アクセスポイント、車載デバイス、ウェアラブルデバイス及び将来の５Ｇネットワークにおける端末装置又は将来の進化したＰＬＭＮネットワークにおけるネットワーク装置などであってもよい。
【００５２】
図１は本開示の一つの応用シーンを示す図である。図１における通信システムはネットワーク装置１０、端末装置２０と端末装置３０を備えることができる。ネットワーク装置１０は端末装置２０に通信サービスを提供してコアネットワークにアクセスすることに用いられ、端末装置２０はネットワーク装置１０から送信された同期信号、ブロードキャスト信号などを検索してネットワークにアクセスすることにより、ネットワークとの通信を行う。
【００５３】
選択可能に、端末装置２０と端末装置３０は通信を行うこともできる。
【００５４】
本開示の実施例によるパイロット信号伝送方法はネットワーク装置と端末装置との通信だけでなく、端末装置と端末装置との通信に用いられてもよく、この時にＤ２Ｄ通信と呼ばれてもよい。
【００５５】
図２は本開示の実施例によるパイロット信号伝送方法１００の概略フローチャートである。理解すべきものとして、図２にパイロット信号伝送方法のステップ又は操作が示されるが、これらのステップ又は操作は例だけであり、本開示の実施例はさらに他の操作又は図２の各操作の変形を実行することができる。
【００５６】
選択可能に、該第一の装置が端末装置であってもよく、該第二の装置がネットワーク装置であってもよく、又は該第一の装置が端末装置であってもよく、該第二の装置がネットワーク装置であってもよい。
【００５７】
図２に示すように、該方法１００は１１０と１２０を含む。
【００５８】
１１０において、第一の装置は第二の装置から送信された第一のメッセージを受信し、該第一のメッセージは、パイロット信号を受信又は送信するように第一の装置に指示することに用いられ、及びパイロット信号のリソース配置情報を指示する。
【００５９】
１２０において、第一の装置は該リソース配置情報に基づき、第二の装置へパイロット信号を送信し、又は第二の装置から送信されたパイロット信号を受信する。
【００６０】
図３は本開示の実施例によるパイロット信号伝送方法２００の概略フローチャートである。理解すべきものとして、図３にパイロット信号伝送方法のステップ又は操作が示されるが、これらのステップ又は操作は例だけであり、本開示の実施例はさらに他の操作又は図３の各操作の変形を実行することができる。
【００６１】
選択可能に、該第一の装置が端末装置であってもよく、該第二の装置がネットワーク装置であってもよく、又は該第一の装置が端末装置であってもよく、該第二の装置が端末装置であってもよい。
【００６２】
図３に示すように、該方法２００は２１０と２２０を含む。
【００６３】
２１０において、第二の装置は第一の装置へ第一のメッセージを送信し、該第一のメッセージは、パイロット信号を受信又は送信するように該第一の装置に指示することに用いられ、及びパイロット信号のリソース配置情報を指示する。
【００６４】
２２０において、前記第二の装置はリソース配置情報に基づき、前記第一の装置へ前記パイロット信号を送信し、又は前記第一の装置から送信された前記パイロット信号を受信する。
【００６５】
したがって、本開示の実施例では、第一の装置がパイロット信号を受信又は送信するように第二の装置をトリガするための第一のメッセージに、パイロット信号のリソース配置情報を含ませ、パイロット信号を伝送する必要がある場合、パイロット信号のリソース配置情報を第二の装置に通知することができ、ニューズに応じてリソース配置を行うことができ、伝送リソースを予め配置して引き起こされる、柔軟性がないという問題を回避することができ、リソースの浪費を回避することができる。
【００６６】
選択可能に、本開示の実施例によるパイロット信号はサウンディング基準信号（ＳＲＳ：Ｓｏｕｎｄｉｎｇ  Ｒｅｆｅｒｅｎｃｅ  Ｓｉｇｎａｌ）、チャネル状態情報基準信号（ＣＳＩ−ＲＳ：Ｃｈａｎｎｅｌ  Ｓｔａｔｅ  Ｉｎｆｏｒｍａｔｉｏｎ  ＲＳ）、復調基準信号（ＤＭＲＳ：（Ｄｅ  Ｍｏｄｕｌａｔｉｏｎ  Ｒｅｆｅｒｅｎｃｅ  Ｓｉｇｎａｌ）、セル専用基準信号（ＣＲＳ：Ｃｅｌｌ−ｓｐｅｃｉｆｉｃ  ｒｅｆｅｒｅｎｃｅ  ｓｉｇｎａｌｓ）、ビーム管理基準信号（ＢＭＲＳ：Ｂｅａｍ  Ｍａｎａｇｅｍｅｎｔ  Ｒｅｆｅｒｅｎｃｅ  Ｓｉｇｎａｌ）のいずれかの一つであってもよい。
【００６７】
選択可能に、本開示の実施例では、パイロット信号のリソース配置情報はパイロット信号の伝送パラメータと呼ばれてもよく、パイロット信号伝送を実現できる配置情報はいずれもパイロット信号のリソース配置情報と呼ばれてもよい。
【００６８】
選択可能に、本開示の実施例では、パイロット信号のリソース配置情報は時間領域リソース配置情報、周波数領域配置情報とシーケンス配置情報のうちの少なくとも一つを指示することができる。
【００６９】
選択可能に、本開示の実施例では、時間領域リソース配置情報はパイロット信号のタイミング情報及び／又は前記パイロット信号を伝送するための時間領域物理リソース情報を示すことに用いられる。
【００７０】
選択可能に、本開示の実施例では、パイロット信号のタイミング情報は第一のメッセージに対するパイロット信号の時間領域位置を示すことに用いられてもよい。
【００７１】
具体的には、パイロット信号のタイミング情報はパイロット信号を伝送するための時間領域リソース単位と第一のメッセージを伝送するための時間領域リソース単位との時間領域リソース単位数の差を示すことができる。
【００７２】
選択可能に、該時間領域リソース単位はフレーム、サブフレーム、タイムスロット、ショートタイムスロット又はＯＦＤＭシンボルであってもよい。当然、他の時間領域リソース単位、例えば、通信ニーズを満たすために新しく定義された時間領域リソース単位であってもよい。
【００７３】
選択可能に、本開示の実施例に記載される時間領域リソース単位の時間長は以下の関係を有してもよいがこれに限定されない：各フレームの長さが１０ｍｓであってもよく、各フレームに１０つのサブフレームが含まれ、各サブフレームに２つのタイムスロットが含まれ、各タイムスロットに６つ又は７つのＯＦＤＭシンボルを含むことができる。
【００７４】
選択可能に、通常のサイクリックプレフィックス（ＣＰ：Ｃｙｃｌｉｃ  Ｐｒｅｆｉｘ）の場合、本開示の実施例に記載れるタイムスロットは７つのＯＦＤＭシンボルを含むことができ、ショートタイムスロットは７つ未満のＯＦＤＭシンボルを含むことができる。本開示の実施例に記載されるショートタイムスロットはさらにミニタイムスロットと呼ばれてもよい。
【００７５】
選択可能に、本開示の実施例では、該第一のメッセージはさらにデータをスケジューリングすることに用いられ、該パイロット信号のタイミング情報は該第一のメッセージによってスケジューリングされたデータに対するパイロット信号の時間領域位置を示すことができる。
【００７６】
具体的には、パイロット信号のタイミング情報はパイロット信号を伝送するための時間領域リソース単位と第一のメッセージを伝送するための時間領域リソース単位との時間領域リソース単位数の差を示すことができる。
【００７７】
同様に、該時間領域リソース単位はフレーム、サブフレーム、タイムスロット、ＯＦＤＭシンボルであってもよく、当然、他の時間領域リソース単位、例えば通信ニューズを満たすために新しく定義された時間領域リソース単位であってもよい。
【００７８】
選択可能に、本開示の実施例では、時間領域物理リソース情報は所定時間内でパイロット信号を伝送するための時間領域リソース単位のインデックス又は時間領域リソース単位の数を示すことができる。
【００７９】
例えば、単一のパイロット伝送周期内でパイロット信号を伝送するためのサブフレームのインデックスを示すことができ、単一のタイムスロット内でパイロット信号を伝送するためのＯＦＤＭシンボルの数などを示すことができる。
【００８０】
選択可能に、所定時間は少なくとも一つのサブフレーム、又は少なくとも一つのタイムスロット、又は少なくとも一つの無線フレーム、又は少なくとも一つのパイロット信号伝送周期であってもよい。
【００８１】
理解すべきものとして、本開示の実施例に記載される「指示」は直接指示であってもよく、例えば、単一のタイムスロット内でパイロット信号を伝送するためのＯＦＤＭシンボルの数を直接含ませることができる。
【００８２】
本開示の実施例に記載される「指示」は間接指示（暗示的指示と呼ばれてもよい）であってもよく、例えば、パイロット信号を一回伝送するために占有される時間領域リソース単位の数が固定され又は予め設定される場合、所定時間内でパイロット信号を伝送するための時間領域リソース単位の数は所定時間内でパイロット信号を伝送する回数で示されてもよく、即ち所定時間内でパイロット信号を伝送するための時間領域リソース単位の数はパイロット信号伝送の回数情報に置き換えられてもよい。例えば、パイロット信号を伝送するたびに一つのＯＦＤＭシンボルを占有し、そして一つのサブフレームにおいてパイロット信号が２回伝送される場合、一つのサブフレームにおけるパイロット信号のためのＯＦＤＭシンボルの数が２つである。この時に基地局は一つのサブフレームにおけるパイロット信号のためのＯＦＤＭシンボルの数を直接示すことができ、一つのサブフレームにおけるパイロット信号伝送の回数を示すこともできる。
【００８３】
選択可能に、本開示の実施例では、前記第一のメッセージはパイロット信号のタイミング情報とパイロット信号の時間周波数物理リソース情報を示すことができる。
【００８４】
例えば、パイロット信号のタイミング情報はパイロット信号を伝送するためのサブフレームと第一のメッセージを伝送するためのサブフレームとのサブフレーム数の差を示すことに用いられ、時間領域物理リソース情報は単一のサブフレームにおける前記パイロット信号を伝送するためのタイムスロットインデックス及び／又はタイムスロット数を示すことに用いられ、これにより、第一の装置は第一のメッセージを受信した後、パイロット信号を伝送するためのサブフレームと第一の信号を伝送するためのサブフレームとのサブフレーム数の差、及び単一のサブフレームにおける前記パイロット信号を伝送するためのタイムスロットインデックス及び／又はタイムスロット数に基づき、必要な時間領域リソースを確定する。
【００８５】
選択可能に、本開示の実施例では、第一のメッセージに含まれる時間領域リソース配置情報は、時間領域物理リソース情報を示せず、パイロット信号のタイミング情報を示すことができる。
【００８６】
例えば、パイロット信号のタイミング情報はパイロット信号を伝送するためのサブフレームと第一の情報を伝送するためのサブフレームとのサブフレーム数の差を示すことに用いられ、第一の装置は該タイミング情報に基づき、パイロット信号を伝送するためのサブフレームを確定することができ、具体的に該サブフレーム内のどのタイムスロット及びタイムスロット内のどのＯＦＤＭシンボルを使用するかは、予め設定されてもよいし、ランダムに選択されてもよい。
【００８７】
選択可能に、本開示の実施例では、第一のメッセージに含まれる時間領域リソース配置情報はタイミング情報を示せず、時間領域物理リソース情報を示すことができる。
【００８８】
例えば、パイロット信号は単一のパイロット周期内でパイロット信号を伝送するためのサブフレーム番号、及びサブフレームにおける具体的な時間領域リソースを示すことに用いられてもよく、ここで、パイロット伝送周期が上位層シグナリングにより第一の装置に予め配置されてもよい。
【００８９】
選択可能に、本開示の実施例では、第一のメッセージに含まれる周波数領域リソース配置情報はパイロット信号の伝送帯域幅、パイロット信号を伝送するための周波数領域開始位置、パイロット信号の周波数領域伝送密度、及びパイロット信号を伝送するためのサブ搬送波間隔のうちの少なくとも一つを示すことに用いられてもよい。
【００９０】
選択可能に、周波数領域リソース配置情報がパイロット信号の伝送帯域幅、パイロット信号を伝送するための周波数領域開始位置、パイロット信号の周波数領域伝送密度、及びパイロット信号を伝送するためのサブ搬送波間隔のうちの一部の情報を示すことに用いられる場合、他の情報はランダムに選択されてもよく又は予め配置されてもよい。
【００９１】
選択可能に、本開示の実施例に記載されるパイロット信号の周波数領域伝送密度はパイロット信号のｃｏｍｂ値であってもよく、該ｃｏｍｂ値が周波数領域における隣接するパイロットリソース単位（ＲＥ：Ｒｅｓｏｕｒｃｅ  Ｅｌｅｍｅｎｔ）間のＲＥ間隔を示すことができ、例えば、ｃｏｍｂ値は１、２又は４であってもよい。
【００９２】
選択可能に、パイロット信号のサブ搬送波間隔は１５ＫＨＺ、３０ＫＨＺ、６０ＫＨＺ又は１２０ＫＨＺであってもよい。
【００９３】
選択可能に、本開示の実施例では、パイロット信号のシーケンス配置情報はパイロット信号のスクランブルシーケンスを生成するための情報及び／又はパイロットシーケンスのルートシーケンスを生成するための情報を示すことに用いられてもよい。
【００９４】
選択可能に、パイロット情報のスクランブルシーケンスを生成するための該情報は該スクランブルシーケンスそのものであってもよいし、該スクランブルシーケンスの識別子（ＩＤ：Ｉｄｅｎｔｉｆｉｅｒ）であってもよい。
【００９５】
選択可能に、パイロットシーケンスのルートシーケンスを生成するための該情報は該ルートシーケンスそのものであってもよいし、該ルートシーケンスの情報であってもよく、例えば、パイロットシーケンスを生成するための擬似ランダムシーケンスの初期化ＩＤであってもよい。
【００９６】
選択可能に、本開示の実施例では、上記第一のメッセージはさらにデータをスケジューリングすることに用いられてもよい。選択可能に、該第一のメッセージはＤＣＩシグナリングであってもよい。
【００９７】
選択可能に、本開示の実施例では、第一のメッセージに第一の装置がパイロット信号の伝送を行うか否かを示すための指示情報を含ませることが可能であり、該指示情報がプリセットビットを占有することができる。例えば、該指示情報は一つのビットを占有することができ、該ビットに含まれる情報が１である場合、パイロット信号の伝送を行う必要があることを確定することができ、該ビットに含まれる情報が０である場合、パイロット信号の伝送を行う必要がないことを確定することができる。
【００９８】
選択可能に、本開示の実施例では、第一の装置は第一のメッセージを伝送するための時間領域リソース単位内でパイロット信号の送信又は受信を行うことができる。
【００９９】
選択可能に、第一のメッセージに、第一のメッセージを伝送するための時間領域リソース単位内でパイロット信号の送信又は受信を行うように第一の装置に指示するための指示情報を直接含ませることが可能である。
【０１００】
例えば、第一のメッセージは、第一のメッセージを伝送するための時間領域リソース単位内でパイロット信号の送信又は受信を行うか否かを一つのビットで示すことができる。
【０１０１】
選択可能に、第一のメッセージは、第一のメッセージを伝送するための時間領域リソース単位内でパイロット信号の送信又は受信を行うように第一の装置に間接的に指示するための指示情報であってもよい。
【０１０２】
例えば、第一のメッセージの時間領域リソース配置情報はパイロット信号を伝送するためのＯＦＤＭシンボルと第一のメッセージを伝送するためのＯＦＤＭシンボルとのＯＦＤＭシンボル数の差を示すことに用いられ、ＯＦＤＭシンボル数の差が小さい場合、第一のメッセージとパイロット信号は同じタイムスロット、同じサブフレーム又は同じフレームで伝送されてもよい。
【０１０３】
選択可能に、第一のメッセージを伝送するための時間領域リソース単位内でパイロット信号の送信又は受信を行うように第一のメッセージ以外のメッセージによって第一の装置に指示することもでき、例えば、第一のメッセージを伝送するための時間領域リソース単位内でパイロット信号の送信又は受信を行うように上位層シグナリングにより第一の装置を予め構成することができる。
【０１０４】
例えば、第一のメッセージにタイムスロットのインデックスが含ませることが可能であり、第一のメッセージとパイロット信号を予め配置するために同じ時間領域リソース単位（例えばサブフレーム）内で伝送する必要があるため、この時に第一のメッセージを伝送するためのサブフレーム及び第一のメッセージに含まれるタイムスロットのインデックスに基づき、パイロット信号を伝送する必要があるリソースを確定することができる。
【０１０５】
選択可能に、該時間領域リソース単位はフレーム、サブフレーム、タイムスロット、ショートタイムスロットであってもよい。当然、他の時間領域リソース単位、例えば、通信ニーズを満たすために新しく定義された時間領域リソース単位であってもよい。
【０１０６】
例えば、第一のメッセージはあるフレーム内の１番目のサブフレームで伝送され、パイロット信号は該フレーム内の２番目のサブフレームで伝送されてもよい。
【０１０７】
例えば、第一のメッセージはあるサブフレーム内の１番目のタイムスロットにおいて伝送され、パイロット信号は該サブフレーム内の２番目のタイムスロットにおいて伝送されることができる。
【０１０８】
例えば、第一のメッセージはあるタイムスロット内の先頭の２つのＯＦＤＭシンボルで伝送され、パイロット信号は該タイムスロット内の最後の２つのＯＦＤＭシンボルで伝送されてもよい。
【０１０９】
選択可能に、第一の装置が端末装置であり、第二の端末装置がネットワーク装置である場合、ネットワーク装置はある時間領域リソース単位内で第一のメッセージを送信することができ、該第一のメッセージがパイロット信号を送信するように端末装置に指示することに用いられ、端末装置は該時間周波数リソース単位内でパイロット信号を送信することができ、この時に、同じ時間領域リソース単位内でダウンリンクの伝送だけでなく、アップリンクの伝送を行うことができることを意味する。
【０１１０】
したがって、本開示の実施例では、同一の時間領域リソース単位内で第一のメッセージとパイロット信号の伝送を行うことにより、パイロット信号伝送の柔軟性をさらに高めることができ、そしてパイロット信号の伝送遅延を低減させることができる。
【０１１１】
図４は本開示の実施例によるパイロット信号伝送方法３００の概略フローチャートである。理解すべきものとして、図４にパイロット信号伝送方法のステップ又は操作が示されるが、これらのステップ又は操作が例だけであり、本開示の実施例はさらに他の操作又は図４における各操作の変形を実行することができる。
【０１１２】
選択可能に、該第一の装置は端末装置であってもよく、該第二の装置はネットワーク装置であってもよく、又は該第一の装置は端末装置であってもよく、該第二の装置は端末装置であってもよい。
【０１１３】
図４に示すように、該方法は３１０と３２０を含む。
【０１１４】
３１０において、第一の装置は第二の装置から送信された第一のメッセージを受信し、前記第一のメッセージは、パイロット信号を受信又は送信するように第一の装置に指示することに用いられる。
【０１１５】
３２０において、前記第一の装置は前記第一のメッセージを伝送するための時間領域リソース単位内で、前記第二の装置へ前記パイロット信号を送信し、又は前記第二の装置から送信された前記パイロット信号を受信する。
【０１１６】
図５は本開示の実施例によるパイロット信号伝送方法５００の概略フローチャートである。理解すべきものとして、図５にパイロット信号伝送方法のステップ又は操作が示されるが、これらのステップ又は操作が例だけであり、本開示の実施例はさらに他の操作又は図５における各操作の変形を実行することができる。
【０１１７】
選択可能に、該第一の装置は端末装置であってもよく、該第二の装置はネットワーク装置であってもよく、又は該第一の装置は端末装置であってもよく、該第二の装置は端末装置であってもよい。
【０１１８】
図５に示すように、該方法は４１０と４２０を含む。
【０１１９】
４１０において、第二の装置は第一の装置へ第一のメッセージを送信し、前記第一のメッセージは、パイロット信号を受信又は送信するように第一の装置に指示することに用いられる。
【０１２０】
４２０において、前記第二の装置は前記第一のメッセージを伝送するための時間領域リソース単位内で、前記第一の装置へ前記パイロット信号を送信し、又は前記第一の装置から送信された前記パイロット信号を受信する。
【０１２１】
選択可能に、該時間リソースリソース単位はフレーム、サブフレーム、タイムスロット、ショートタイムスロットであってもよく、当然、他の時間領域リソース単位、例えば、通信ニーズを満たすために新しく定義された時間領域リソース単位であってもよい。
【０１２２】
例えば、第一のメッセージはあるフレーム内の１番目のサブフレームで伝送され、パイロット信号は該フレーム内の２番目のサブフレームで伝送されてもよい。
【０１２３】
例えば、第一のメッセージはあるサブフレーム内の第一のタイムスロットにおいて伝送され、パイロット信号は該サブフレーム内の２番目のタイムスロットにおいて伝送されてもよい。
【０１２４】
例えば、第一のメッセージはあるタイムスロット内の先頭のＮ個のＯＦＤＭシンボルで伝送され、パイロット信号は該タイムスロット内の最後のＭ個のＯＦＤＭシンボルで伝送されてもよい。
【０１２５】
選択可能に、パイロット信号を伝送するための該時間領域リソース単位内の具体的な時間領域リソースは予め配置されてもよいし、ランダムに選択されてもよいし、第一のメッセージに含まれて第一の装置に通知されてもよい。
【０１２６】
したがって、本開示の実施例では、同一の時間領域リソース単位内で第一のメッセージとパイロット信号の伝送を行うことにより、パイロット信号伝送の柔軟性をさらに高めることができ、そしてパイロット信号の伝送遅延を低減させることができる。
【０１２７】
図６は本開示の実施例による通信装置５００の概略ブロック図である。図６に示すように、該通信装置５００は第一の送受信ユニット５１０と第二の送受信ユニット５２０を備えることができる。
【０１２８】
第一の送受信ユニット５１０は第二の装置から送信された第一のメッセージを受信するように構成され、前記第一のメッセージは、パイロット信号を受信又は送信するように前記通信装置に指示することに用いられ、前記第一のメッセージに前記パイロット信号のリソース配置情報が指示される。
【０１２９】
第二の送受信ユニット５２０は前記リソース配置情報に基づき、前記第二の装置へ前記パイロット信号を送信し、又は前記第二の装置から送信された前記パイロット信号を受信するように構成される。
【０１３０】
選択可能に、前記第二の送受信ユニット５２０は具体的に前記第一のメッセージを伝送するための時間領域リソース単位内で、前記第二の装置へ前記パイロット信号を送信し、前記第二の装置から送信された前記パイロット信号を受信するように構成される。
【０１３１】
選択可能に、前記リソース配置情報は前記パイロット信号の時間領域リソース配置情報、周波数領域リソース配置情報及びシーケンス配置情報のうちの少なくとも一つを指示する。
【０１３２】
選択可能に、前記時間領域リソース配置情報は前記パイロット信号のタイミング情報及び／又は前記パイロット信号を伝送するための時間領域物理リソース情報を示すことに用いられる。
【０１３３】
選択可能に、前記タイミング情報は前記第一のメッセージに対する前記パイロット信号の時間領域位置、又は前記第一のメッセージによってスケジューリングされたデータ伝送に対する時間領域位置を示すことに用いられる。
【０１３４】
選択可能に、前記時間領域物理リソース情報は所定時時間内で前記パイロット信号を伝送するための時間領域リソース単位のインデックス及び／又は時間領域リソース単位の数を示すことに用いられる。
【０１３５】
選択可能に、前記周波数領域リソース配置情報は前記パイロット信号の伝送帯域幅、前記パイロット信号の伝送密度、前記パイロット信号を伝送するための周波数領域開始位置及び前記パイロット信号を伝送するためのサブ搬送波間隔のうちの少なくとも一つを示すことに用いられる。
【０１３６】
選択可能に、前記シーケンス配置情報は前記パイロット信号のスクランブルシーケンスを生成するための情報及び前記パイロット信号のルートシーケンスを生成するための情報のうちの少なくとも一つを示すことに用いられる。
【０１３７】
選択可能に、前記第一のメッセージはさらに前記第一の装置５００と前記第二の装置の間で伝送されたデータをスケジューリングすることに用いられる。
【０１３８】
選択可能に、前記第一のメッセージはダウンリンク制御情報（ＤＣＩ）シグナリングである。
【０１３９】
選択可能に、前記パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）である。
【０１４０】
選択可能に、該通信装置５００は方法の実施例における第一の装置に対応してもよく、該第一の装置の対応する機能を実現することができ、簡潔にするために、ここで説明を省略する。
【０１４１】
図７は本開示の実施例による通信装置６００の概略ブロック図である。図７に示すように、該通信装置６００は第一の送受信ユニット６１０と第二の送受信ユニット６２０を備えることができる。
【０１４２】
第一の送受信ユニット６１０は第一の装置へ第一のメッセージを送信するように構成され、前記第一のメッセージは、パイロット信号を受信又は送信するように前記第一の装置に指示することに用いられ、及び前記パイロット信号のリソース配置情報を指示する。
【０１４３】
第二の送受信ユニット６２０は前記リソース配置情報に基づき、前記第一の装置へ前記パイロット信号を送信し、又は前記第一の装置から送信された前記パイロット信号を受信するように構成される。
【０１４４】
選択可能に、前記第二の送受信ユニット６２０は具体的に前記第一のメッセージを伝送するための時間領域リソース単位内で、前記第一の装置へ前記パイロット信号を送信し、又は前記第一の装置から送信された前記パイロット信号を受信するように構成される。
【０１４５】
選択可能に、前記リソース配置情報は前記パイロット信号の時間領域リソース配置情報、周波数領域リソース配置情報及びシーケンス配置情報のうちの少なくとも一つを指示する。
【０１４６】
選択可能に、前記時間領域リソース配置情報は前記パイロット信号のタイミング情報及び／又は前記パイロット信号を伝送するための時間領域物理リソース情報を示すことに用いられる。
【０１４７】
選択可能に、前記タイミング情報は前記第一のメッセージに対する前記パイロット信号の時間領域位置、又は前記第一のメッセージによってスケジューリングされたデータ伝送に対する時間領域位置を示すことに用いられる。
【０１４８】
選択可能に、前記時間領域物理リソース情報は所定時間内で前記パイロット信号を伝送するための時間領域リソース単位のインデックス又は時間領域リソース単位の数を示すことに用いられる。
【０１４９】
選択可能に、前記周波数領域リソース配置情報は前記パイロット信号の伝送帯域幅、前記パイロット信号の伝送密度、前記パイロット信号を伝送するための周波数領域開始位置及び前記パイロット信号を伝送するためのサブ搬送波間隔のうちの一つを示すことに用いられる。
【０１５０】
選択可能に、前記シーケンス配置情報は前記パイロット信号のスクランブルシーケンスを生成するための情報及び前記パイロット信号のルートシーケンスを生成するための情報のうちの少なくとも一つを示すことに用いられる。
【０１５１】
選択可能に、前記第一のメッセージはさらに前記第一の装置と前記第二の装置の間で伝送されたデータをスケジューリングすることに用いられる。
【０１５２】
選択可能に、前記第一のメッセージはダウンリンク制御情報（ＤＣＩ）シグナリングである。
【０１５３】
選択可能に、前記パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）である。
【０１５４】
選択可能に、該通信装置６００は方法の実施例における第二の装置に対応してもよく、該第二の装置の対応する機能を実現することができ、簡潔にするために、ここで説明を省略する。
【０１５５】
図８は本開示の実施例による通信装置７００の概略ブロック図である。図８に示すように、該通信装置７００はプロセッサ７１０、メモリ７２０と送受信機７３０を備えることができ、選択可能に、該通信装置はさらにバスシステム７４０を備え、該バスシステムがプロセッサ７１０、メモリ７２０と送受信機７３０を相互に接続することに用いられる。メモリ７２０は命令を記憶することに用いられ、プロセッサ７１０はメモリ７２０に記憶された命令を呼び出して対応する操作を実行することに用いられる。
【０１５６】
選択可能に、プロセッサ７１０はメモリ７２０での命令を呼び出し、以下の操作を実行することができる：
送受信機７３０により、第二の装置から送信された第一のメッセージを受信し、前記第一のメッセージは、パイロット信号を受信又は送信するように前記第一の装置に指示することに用いられ、及び前記パイロット信号のリソース配置情報を含み、
前記リソース配置情報に基づき、送受信機７３０により前記第二の装置へ前記パイロット信号を送信し、又は前記第二の装置から送信された前記パイロット信号を受信する。
【０１５７】
選択可能に、プロセッサ７１０はメモリ７２０での命令を呼び出し、具体的に以下の操作を実行することができる：
前記第一のメッセージを伝送するための時間領域リソース単位内で、前記第二の装置へ前記パイロット信号を送信し、又は前記第二の装置から送信された前記パイロット信号を受信する。
【０１５８】
選択可能に、前記リソース配置情報は前記パイロット信号の時間領域リソース配置情報、周波数領域リソース配置情報及びシーケンス配置情報のうちの少なくとも一つを指示する。
【０１５９】
選択可能に、前記時間領域リソース配置情報はパイロット信号のタイミング情報及び／又は前記パイロット信号を伝送するための時間領域物理リソース情報を示すことに用いられる。
【０１６０】
選択可能に、前記タイミング情報は前記第一のメッセージに対する前記パイロット信号の時間領域位置、又は前記第一のメッセージによってスケジューリングされたデータ伝送に対する時間領域位置を示すことに用いられる。
【０１６１】
選択可能に、時間領域物理リソース情報は所定時間内でパイロット信号を伝送するための時間領域リソース単位のインデックス又は時間領域リソース単位の数を示すことに用いられる。
【０１６２】
選択可能に、前記周波数領域リソース配置情報は前記パイロット信号の伝送帯域幅、前記パイロット信号の伝送密度、前記パイロット信号を伝送するための周波数領域開始位置及び前記パイロット信号を伝送するためのサブ搬送波間隔のうちの少なくとも一つを示すことに用いられる。
【０１６３】
選択可能に、前記シーケンス配置情報は前記パイロット信号のスクランブルシーケンスを生成するための情報及び／又は前記パイロットシーケンスのルートシーケンスを生成するための情報のうちの少なくとも一つを示すことに用いられる。
【０１６４】
選択可能に、前記第一のメッセージはさらに前記通信装置７００と前記第二の装置の間で伝送されたデータをスケジューリングすることに用いられる。
【０１６５】
選択可能に、前記第一のメッセージはダウンリンク制御情報（ＤＣＩ）シグナリングである。
【０１６６】
選択可能に、前記パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）である。
【０１６７】
選択可能に、該通信装置７００は方法の実施例における第一の装置を対応することができ、該第一の装置の対応する機能を実現することができ、簡潔にするために、ここで説明を省略する。
【０１６８】
図９は本開示の実施例による通信装置８００の概略ブロック図である。図９に示すように、該通信装置８００はプロセッサ８１０、メモリ８２０と送受信機８３０を備えることができ、選択可能に、該通信装置はさらにバスシステム８４０を備え、該バスシステムがプロセッサ８１０、メモリ８２０と送受信機８３０を相互に接続することに用いられる。メモリ８２０は命令を記憶することに用いられ、プロセッサ８１０はメモリ８２０に記憶された命令を呼び出して対応する操作を実行することに用いられる。
【０１６９】
選択可能に、プロセッサ８１０はメモリ８２０での命令を呼び出し、以下の操作を実行することができる：
送受信機８３０により、第一の装置へ第一のメッセージを送信し、前記第一のメッセージは、パイロット信号を受信又は送信するように前記第一の装置に指示することに用いられ、及び前記パイロット信号のリソース配置情報を含み、
前記リソース配置情報に基づき、送受信機８３０により前記第一の装置へ前記パイロット信号を送信し、又は前記第一の装置から送信された前記パイロット信号を受信する。
【０１７０】
選択可能に、プロセッサ８１０はメモリ８２０での命令を呼び出し、具体的に以下の操作を実行することができる：
前記第一のメッセージを伝送するための時間領域リソース単位内で、前記第一の装置へ前記パイロット信号を送信し、又は前記第一の装置から送信された前記パイロット信号を受信する。
【０１７１】
選択可能に、前記リソース配置情報は前記パイロット信号の時間領域リソース配置情報、周波数領域リソース配置情報及びシーケンス配置情報のうちの少なくとも一つを指示する。
【０１７２】
選択可能に、前記時間領域リソース配置情報は前記パイロット信号のタイミング情報及び／又は前記パイロット信号を伝送するための時間領域物理リソース情報を示すことに用いられる。
【０１７３】
選択可能に、前記タイミング情報は前記第一のメッセージに対する前記パイロット信号の時間領域位置、又は前記第一のメッセージによってスケジューリングされたデータ伝送に対する時間領域位置を示すことに用いられる。
【０１７４】
選択可能に、前記時間領域物理リソース情報は所定時間内で前記パイロット信号を伝送するための時間領域リソース単位のインデックス又は時間領域リソース単位の数を示すことに用いられる。
【０１７５】
選択可能に、前記周波数領域リソース配置情報は前記パイロット信号の伝送帯域幅、前記パイロット信号の伝送密度、前記パイロット信号を伝送するための周波数領域開始位置及び前記パイロット信号を伝送するためのサブ搬送波間隔のうちの少なくとも一つを示すことに用いられる。
【０１７６】
選択可能に、前記シーケンス配置情報は前記パイロット信号のスクランブルシーケンスを生成するための情報及び／又は前記パイロットシーケンスのルートシーケンスを生成するための情報のうちの少なくとも一つを示すことに用いられる。
【０１７７】
選択可能に、前記第一のメッセージはさらに前記第一の装置と通信装置８００の間で伝送されたデータをスケジューリングすることに用いられる。
【０１７８】
選択可能に、前記第一のメッセージはダウンリンク制御情報（ＤＣＩ）シグナリングである。
【０１７９】
選択可能に、前記パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）である。
【０１８０】
選択可能に、該通信装置８００は方法の実施例における第二の装置を対応することができ、該第二の装置の対応する機能を実現することができ、簡潔にするために、ここで説明を省略する。
【０１８１】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本開示の範囲を超えていると考えられるべきではない。
【０１８２】
当業者は便利且つ簡潔で説明するために、上述したシステム、装置とユニットの具体的な動作プロセスについて上記方法の実施例における対応するプロセスを参照できることを明確に理解でき、ここでは説明を省略する。
【０１８３】
本開示が提供するいくつかの実施例では、開示されるシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１８４】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１８５】
また、本開示の各実施例における各機能ユニットは一つの処理ユニットに統合されてもよく、個々のユニットは単独で物理的に存在してもよく、２つ又は２つ以上のユニットは一つのユニットに統合されてもよい。
【０１８６】
前記機能はソフトウェア機能ユニットの形態で実現され且つ独立した製品として販売又は使用される場合、一つのコンピュータ可読記憶媒体に格納されてもよい。このような理解に基づき、本開示の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本開示の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１８７】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は特許請求の範囲によって準拠するべきである。
【図１】
2019534604.tif 000003
【図２】
2019534604.tif 000004
【図３】
2019534604.tif 000005
【図４】
2019534604.tif 000006
【図５】
2019534604.tif 000007
【図６】
2019534604.tif 000008
【図７】
2019534604.tif 000009
【図８】
2019534604.tif 000010
【図９】
2019534604.tif 000011
【手続補正書】
【提出日】令和1年9月5日(2019.9.5)
【手続補正１】
【補正対象書類名】明細書
【補正対象項目名】００１６
【補正方法】変更
【補正の内容】
【００１６】
第二の態様によるパイロット信号伝送方法は、
第二の装置が第一の装置へ第一のメッセージを送信することであって、該第一のメッセージは、パイロット信号を受信又は送信するように該第一の装置に指示することに用いられ、及び該パイロット信号のリソース配置情報を含む、ことと、
該リソース配置情報に基づき、該第二の装置が該第一の装置へ該パイロット信号を送信し、又は該第一の装置から送信された該パイロット信号を受信することとを含む。
【手続補正２】
【補正対象書類名】明細書
【補正対象項目名】００５８
【補正方法】変更
【補正の内容】
【００５８】
１１０において、第一の装置は第二の装置から送信された第一のメッセージを受信し、該第一のメッセージは、パイロット信号を受信又は送信するように第一の装置に指示することに用いられ、及びパイロット信号のリソース配置情報を含む。
【手続補正３】
【補正対象書類名】明細書
【補正対象項目名】００６３
【補正方法】変更
【補正の内容】
【００６３】
２１０において、第二の装置は第一の装置へ第一のメッセージを送信し、該第一のメッセージは、パイロット信号を受信又は送信するように該第一の装置に指示することに用いられ、及びパイロット信号のリソース配置情報を含む。
【手続補正４】
【補正対象書類名】明細書
【補正対象項目名】０１２８
【補正方法】変更
【補正の内容】
【０１２８】
第一の送受信ユニット５１０は第二の装置から送信された第一のメッセージを受信するように構成され、前記第一のメッセージは、パイロット信号を受信又は送信するように前記通信装置に指示することに用いられ、前記第一のメッセージに前記パイロット信号のリソース配置情報が含まれる。
【手続補正５】
【補正対象書類名】明細書
【補正対象項目名】０１４２
【補正方法】変更
【補正の内容】
【０１４２】
第一の送受信ユニット６１０は第一の装置へ第一のメッセージを送信するように構成され、前記第一のメッセージは、パイロット信号を受信又は送信するように前記第一の装置に指示することに用いられ、及び前記パイロット信号のリソース配置情報を含む。
【手続補正６】
【補正対象書類名】特許請求の範囲
【補正対象項目名】全文
【補正方法】変更
【補正の内容】
【特許請求の範囲】
【請求項１】
パイロット信号伝送方法であって、
第一の装置が第二の装置から送信された第一のメッセージを受信することであって、前記第一のメッセージは、パイロット信号を受信又は送信するように前記第一の装置に指示することに用いられ、前記第一のメッセージに前記パイロット信号のリソース配置情報が含まれる、ことと、
前記リソース配置情報に基づき、前記第一の装置が前記第二の装置へ前記パイロット信号を送信し、又は前記第二の装置から送信された前記パイロット信号を受信することとを含む、前記パイロット信号伝送方法。
【請求項２】
前記第一の装置が前記第二の装置へ前記パイロット信号を送信し、又は前記第二の装置から送信された前記パイロット信号を受信することは、
前記第一の装置が前記第一のメッセージを伝送するための時間領域リソース単位内で、前記第二の装置へ前記パイロット信号を送信し、前記第二の装置から送信された前記パイロット信号を受信することを含むことを特徴とする
請求項１に記載のパイロット信号伝送方法。
【請求項３】
前記リソース配置情報は前記パイロット信号の時間領域リソース配置情報、周波数領域リソース配置情報及びシーケンス配置情報のうちの少なくとも一つを指示することを特徴とする
請求項１又は２に記載のパイロット信号伝送方法。
【請求項４】
前記時間領域リソース配置情報は前記パイロット信号のタイミング情報及び／又は前記パイロット信号を伝送するための時間領域物理リソース情報を示すことに用いられることを特徴とする
請求項３に記載のパイロット信号伝送方法。
【請求項５】
前記タイミング情報は前記第一のメッセージに対する前記パイロット信号の時間領域位置、又は前記第一のメッセージによってスケジューリングされたデータ伝送に対する時間領域位置を示すことに用いられることを特徴とする
請求項４に記載のパイロット信号伝送方法。
【請求項６】
前記時間領域物理リソース情報は所定時時間内で前記パイロット信号を伝送するための時間領域リソース単位のインデックス及び／又は時間領域リソース単位の数を示すことに用いられることを特徴とする
請求項４又は５に記載のパイロット信号伝送方法。
【請求項７】
前記周波数領域リソース配置情報は前記パイロット信号の伝送帯域幅、前記パイロット信号の伝送密度、前記パイロット信号を伝送するための周波数領域開始位置及び前記パイロット信号を伝送するためのサブ搬送波間隔のうちの少なくとも一つを示すことに用いられることを特徴とする
請求項３−６のいずれか一項に記載のパイロット信号伝送方法。
【請求項８】
前記シーケンス配置情報は前記パイロット信号のスクランブルシーケンスを生成するための情報及び前記パイロット信号のルートシーケンスを生成するための情報のうちの少なくとも一つを示すことに用いられることを特徴とする
請求項３−７のいずれか一項に記載のパイロット信号伝送方法。
【請求項９】
前記第一のメッセージはさらに前記第一の装置と前記第二の装置の間で伝送されたデータをスケジューリングすることに用いられることを特徴とする
請求項１−８のいずれか一項に記載のパイロット信号伝送方法。
【請求項１０】
前記第一のメッセージはダウンリンク制御情報（ＤＣＩ）シグナリングであることを特徴とする
請求項１−９のいずれか一項に記載のパイロット信号伝送方法。
【請求項１１】
前記パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）であることを特徴とする
請求項１−１０のいずれか一項に記載のパイロット信号伝送方法。
【請求項１２】
前記第一の装置は端末装置であり、前記第二の装置がネットワーク装置であることを特徴とする
請求項１−１１のいずれか一項に記載のパイロット信号伝送方法。
【請求項１３】
通信装置であって、
第二の装置から送信された第一のメッセージを受信するように構成される第一の送受信ユニットであって、前記第一のメッセージは、パイロット信号を受信又は送信するように前記通信装置に指示することに用いられ、前記第一のメッセージに前記パイロット信号のリソース配置情報が含まれる、第一の送受信ユニットと、
前記リソース配置情報に基づき、前記第二の装置へ前記パイロット信号を送信し、又は前記第二の装置から送信された前記パイロット信号を受信するように構成される第二の送受信ユニットとを備える、前記通信装置。
【請求項１４】
前記第二の送受信ユニットは具体的に、
前記第一のメッセージを伝送するための時間領域リソース単位内で、前記第二の装置へ前記パイロット信号を送信し、前記第二の装置から送信された前記パイロット信号を受信するように構成されることを特徴とする
請求項１３に記載の通信装置。
【請求項１５】
前記リソース配置情報は前記パイロット信号の時間領域リソース配置情報、周波数領域リソース配置情報及びシーケンス配置情報のうちの少なくとも一つを指示することを特徴とする
請求項１３又は１４に記載の通信装置。
【請求項１６】
前記時間領域リソース配置情報は前記パイロット信号のタイミング情報及び／又は前記パイロット信号を伝送するための時間領域物理リソース情報を示すことに用いられることを特徴とする
請求項１５に記載の通信装置。
【請求項１７】
前記タイミング情報は前記第一のメッセージに対する前記パイロット信号の時間領域位置、又は前記第一のメッセージによってスケジューリングされたデータ伝送に対する時間領域位置を示すことに用いられることを特徴とする
請求項１６に記載の通信装置。
【請求項１８】
前記時間領域物理リソース情報は所定時時間内で前記パイロット信号を伝送するための時間領域リソース単位のインデックス及び／又は時間領域リソース単位の数を示すことに用いられることを特徴とする
請求項１６又は１７に記載の通信装置。
【請求項１９】
前記周波数領域リソース配置情報は前記パイロット信号の伝送帯域幅、前記パイロット信号の伝送密度、前記パイロット信号を伝送するための周波数領域開始位置及び前記パイロット信号を伝送するためのサブ搬送波間隔のうちの少なくとも一つを示すことに用いられることを特徴とする
請求項１５−１８のいずれか一項に記載の通信装置。
【請求項２０】
前記シーケンス配置情報は前記パイロット信号のスクランブルシーケンスを生成するための情報及び前記パイロット信号のルートシーケンスを生成するための情報のうちの少なくとも一つを示すことに用いられることを特徴とする
請求項１５−１９のいずれか一項に記載の通信装置。
【請求項２１】
前記第一のメッセージはさらに前記通信装置と前記第二の装置の間で伝送されたデータをスケジューリングすることに用いられることを特徴とする
請求項１３−２０のいずれか一項に記載の通信装置。
【請求項２２】
前記第一のメッセージはダウンリンク制御情報（ＤＣＩ）シグナリングであることを特徴とする
請求項１３−２１のいずれか一項に記載の通信装置。
【請求項２３】
前記パイロット信号はサウンディング基準信号（ＳＲＳ）、チャネル状態情報基準信号（ＣＳＩ−ＲＳ）、復調基準信号（ＤＭＲＳ）、セル専用基準信号（ＣＲＳ）、又はビーム管理基準信号（ＢＭＲＳ）であることを特徴とする
請求項１３−２２のいずれか一項に記載の通信装置。
【国際調査報告】
2019534604.tif 000012
2019534604.tif 000013
2019534604.tif 000014
2019534604.tif 000015